(57)【特許請求の範囲】
【請求項１】
開口を有するボディカバーと、
ズームレンズを有し、該ボディカバーの前記開口の内部で、該開口にほぼ直交する方向に移動してズーム動作を行なう鏡筒と、
一端が前記ボディカバーの内側に設けられるとともに、他端が前記鏡筒の外周部に摺動可能に嵌合して前記ボディカバーと前記鏡筒との隙間を遮光する遮蔽部材とを有する遮蔽装置を備えたカメラにおいて、
前記鏡筒は、予め設定した複数の所定の位置でズーム動作を停止し、該鏡筒の外周部に円周方向に沿って設けられた環状の複数の溝を有し、
前記遮蔽部材は環状であるとともに、その内周部分の前記鏡筒の外周部と摺動する面に、前記溝の形状に略一致する突起を有し、
前記複数の溝は、ズーム動作を停止した際に、前記突起部が前記複数の溝の一つに嵌り込む位置に形成されていることをカメラ。
【請求項２】
前記鏡筒の端部の直径を、前記溝以外の部分の前記鏡筒の他の外周部の直径と異ならせ、
前記遮蔽部材は、その内周部分が前記鏡筒の前記端部の形状に倣って接触することを特徴とする請求項１記載のカメラ。
【請求項３】
前記遮光部材は、前記鏡筒が光軸周りに回転すると、該鏡筒の回転とともに回転することを特徴とする請求項１または２に記載のカメラ。
【発明の詳細な説明】
【０００１】
【産業上の利用分野】
本発明は、相対的に移動する部材の隙間を遮蔽するカメラに関するものである。
【０００２】
【従来の技術】
従来、相対的に移動する２つの部材（例えば枠体と筒体）の隙間を遮蔽する遮蔽装置として、例えば特開平１０−３１１４６号公報には、移動する筒体の外周部に摺動する遮蔽部材の摺動面に突起を設け、この突起により遮蔽部材を筒体の外周部との接触力を大きくして遮光することが開示されている。又、特開平８−１４６５０１号公報又は特開平９−１３８３３４号公報には、鏡筒の外周部に嵌合する遮蔽部材に複数の突起を設けることで更なる遮蔽効果を得ることが開示されている。
【０００３】
【発明が解決しようとする課題】
しかしながら、移動する筒体をプラスチック材料で成形した場合、成形型の都合上、その外周面にパーティングラインの段差やバリができる。このパーティングラインの段差やバリは、例え微小であっても、筒体と遮蔽部材との接触面に微少な隙間を生じさせることが避けられない。また、遮蔽部材と筒体との接触面に微細なゴミが挟まった場合にも、上記と同様に微少な隙間ができる。
【０００４】
従来の遮蔽装置をカメラのボディ本体とレンズ鏡筒との間の隙間を遮光する目的で適用した場合、この微少な隙間を介してボディ内部に光線が進入してしまいフィルムが感光する問題があった。
【０００５】
そこで、遮蔽部材と筒体の嵌合部に微細な隙間が生じる場合であっても、効果的に光線を遮断できる遮蔽装置を提供することを目的としている。
【０００６】
【課題を解決するための手段】
上記課題を解決するため、上記目的のために請求項１に係る本願発明では、開口を有するボディカバーと、ズームレンズを有し、該ボディカバーの前記開口の内部で、該開口にほぼ直交する方向に移動してズーム動作を行なう鏡筒と、一端が前記ボディカバーの内側に設けられるとともに、他端が前記鏡筒の外周部に摺動可能に嵌合して前記ボディカバーと前記鏡筒との隙間を遮光する遮蔽部材とを有する遮蔽装置を備えたカメラにおいて、前記鏡筒は、予め設定した複数の所定の位置でズーム動作を停止し、該鏡筒の外周部に円周方向に沿って設けられた環状の複数の溝を有し、前記遮蔽部材は環状であるとともに、その内周部分の前記鏡筒の外周部と摺動する面に、前記溝の形状に略一致する突起を有し、前記複数の溝は、ズーム動作を停止した際に、前記突起部が前記複数の溝の一つに嵌り込む位置に形成されていることとした。
【０００７】
また、請求項２に係る本願発明では、請求項１のカメラにおいて、前記鏡筒の端部の直径を、前記溝以外の部分の前記鏡筒の他の外周部の直径と異ならせ、前記遮蔽部材は、その内周部分が前記鏡筒の前記端部の形状に倣って接触することとした。
【０００８】
また、請求項３に係る本願発明では、請求項１または２のカメラにおいて、前記遮光部材は、前記鏡筒が光軸周りに回転すると、該鏡筒の回転とともに回転することとした。
【００１０】
【発明の実施の形態】
本発明による第一の実施の形態を図１乃至図３を用いて説明する。図１及び図２は、本実施の形態による遮蔽装置を備えた沈胴式のズームカメラの断面図である。本カメラは、ボディに対して鏡筒５が移動する構成で、図１はレンズ鏡筒が沈胴した状態を示し、図２はレンズ鏡筒が望遠側に繰り出された状態を示す。カメラの外観を構成するカバー１は不図示の種々の機構を固定する本体２を覆っている。圧板３は、本体２との間に不図示のフィルムが通過する隙間を形成する。レンズ鏡筒内の撮影光学系は第一レンズ群Ｌ１と第二レンズ群Ｌ２とからなり、この第一レンズ群Ｌ１と第二レンズ群Ｌ２が光軸Ｉ方向にそれぞれ移動することによって焦点距離を変更する。
【００１１】
レンズ鏡筒は固定筒４、移動筒５、カム筒６、レンズ室７から構成されている。固定筒４は本体２に固定されており、この固定筒４の内周部には雌ヘリコイド４ａが形成されている。移動筒５は、この固定筒４の雌ヘリコイド４ａに雄ヘリコイド５ａで螺合しており、回転することにより光軸Ｉ方向に進退する。第一レンズ群Ｌ１は移動筒５の内筒部５ｂに保持され、第二レンズ群Ｌ２はレンズ室７に保持されている。カム筒６は移動筒５の内周部に固定されており、移動筒５と一緒に回転することで、第二レンズ群Ｌ２を移動させる。移動筒５の駆動機構及び第二レンズ群Ｌ２の移動機構は周知の機構であり、詳細な説明は省略する。
【００１２】
次に、シリコンゴム等の弾性を有する材料からなる伸縮可能な環状の弾性部材８と、この弾性部材８の外周部分の剛性を確保するために弾性部材８に接着された環状芯部材９とから、遮蔽部材が構成される。この環状の遮蔽部材は、その外周部が固定筒４の先端部４ｂとカバー１の開口部１ａの内面との間に配置され、内周部が材料の伸縮性を利用して移動筒５の外周面に倣って摺動可能に嵌合する。遮蔽部材は固定筒４の先端部４ｂで光軸回りに回転可能に保持されており、移動筒５が光軸回りに回転するとこれと一緒回転するようになっている。これは、移動筒５を駆動する際の負荷を軽減するためである。この遮蔽部材（例えば黒色に着色されている）により、カバー１の開口部１ａと移動筒５の外周面との隙間からカメラ内部に進入する光線を遮蔽する。尚、遮蔽部材を固定筒４の先端部４ｂに接着する等して固定した場合でも、カメラ内部に進入する光線を遮蔽できることは言うまでもない。
【００１３】
さて、鏡筒が沈胴位置にある時の遮蔽部材の様子を、図１の部分拡大図である図３を用いて詳細に説明する。移動筒５の先端部（移動筒の外部端）には、テーパー部５ｃが形成されている。弾性部材８は移動筒５に嵌合していない状態では図の二点鎖線で示す形状をしている（これは以下の図４〜図７についても同様）が、移動筒５が弾性部材８に嵌合することにより端部（内周部８ａ）が移動筒５の外周部に沿って密着する。移動筒５が沈胴した状態では、内周部８ａは弾性を有しているため、テーパー部５ｃの面に倣ってこれを覆うように構成されている。この構成により、図３に示す光軸Ｉに略平行な矢印Ａの方向からの光線をより効果的に遮断することができる。
【００１４】
図４は、本発明の第２の実施の形態による遮光装置を示す断面図であり、図３と同様に主要部を拡大して示す。また、基本的な構成は上述の第１の実施の形態による遮光装置と同様であり、異なる点について説明する。
【００１５】
移動筒４５の先端部４５ｃはＲ状の面取り形状をしている。前述と同様に、移動筒４５が沈胴した状態で、弾性部材８はその端部（内周部８ａ）がＲ状の面取り部４５ｃを覆うように構成されている。
【００１６】
図５は、本発明の第３の実施の形態による遮光装置を示す断面図であり、図３と同様に主要部を拡大して示す。また、基本的な構成は上述の第１の実施の形態による遮光装置と同様であり、異なる点について説明する。
【００１７】
弾性部材５８の端部には、移動筒５５の外周面に接触する部分であって、移動筒５５のテーパー部５５ｃを覆う部分に、環状に設けられた突起５８ａを備える。移動筒５５が沈胴した状態で、突起５８ａがテーパー部５５ｃに倣って密着し、弾性部材５８の端部（内周部５８ａ）がテーパー部５５ｃを覆うように構成されている。
【００１８】
図６は、本発明の第４の実施の形態による遮光装置を示す断面図であり、図３と同様に主要部を拡大して示す。また、基本的な構成は上述の第１の実施の形態による遮光装置と同様であり、異なる点について説明する。
【００１９】
移動筒６５の先端部に段差６５ｃを形成し、弾性部材６８には移動筒６５の段差部６５ｃの段差形状に略一致した突起６８ａを形成する。移動筒６５が沈胴した状態で、突起６８ａが段差６５ｃ上に位置し、弾性部材６８の端部（内周部６８ａ）が段差６５ｃを覆うように構成されている。
【００２０】
尚、この第４の実施の形態では弾性部材６８に突起６８ａを形成して段差６５ｃを覆う（段差６５ｃに倣って接触する）ようにしたが、突起６８ａの形状は図６に示す形状に限定されず、例えば図６に示す段差６５ｃを有する移動筒６５と図３に示す弾性部材８を組み合わせても同様の効果が得られる。
【００２１】
図７は、本発明の第５の実施の形態による遮光装置を示す断面図であり、図３と同様に主要部を拡大して示す。また、基本的な構成は上述の第１の実施の形態による遮光装置と同様であり、異なる点について説明する。
【００２２】
移動筒７５の先端部にフランジ７５ｃを形成している。このフランジは移動筒７５が沈胴した状態でカバー１との隙間、即ち開口部１ａをより小さくする。そして、図３に示す弾性部材８と同様な形状の弾性部材７８が移動筒７５に嵌合し、移動筒７５が沈胴した状態で、その端部７８ａはフランジ７５ｃの後方に位置する。
【００２３】
ここで、通常、カメラが光に曝される時間が圧倒的に多いのは鏡筒が沈胴状態にあるときである。上述のように、移動筒をプラスチック材料で成形した時に外周面に生じるパーティングラインの段差やバリの影響で、弾性部材と移動筒の嵌合部に微少な隙間ができる場合や、弾性部材と移動筒の嵌合部に微細なゴミが挟まって微少な隙間ができる場合には、この微少な隙間を光線が通ってカメラ内部に進入し、フィルムが感光してしまう。しかし、図３ないし図７で説明した実施の形態によれば、鏡筒が沈胴位置にある時に光線を効果的に遮断している。鏡筒が沈胴状態に無い場合、即ち撮影に供している時間は、沈胴状態にある時間に比べて遥かに短い時間であるため影響は無いが、カメラが光に曝される時間が圧倒的に多い沈胴状態でカメラ内部に進入する光線を遮断できることは、非常に有効である。
【００２４】
次に、本発明の第６の実施の形態による遮光装置を図８を用いて説明する。
【００２５】
本実施の形態による遮光装置を備えたカメラは、所謂ステップズーム式の撮影光学系を備えている。つまり、撮影光学系の焦点距離を６段階に変更するように鏡筒を制御可能で、レンズ鏡筒が各焦点距離まで繰り出した位置で停止するように構成されている。その他の構成は図１に示すカメラと同様であり、同符号を付してその説明を省略する。
【００２６】
移動筒８５の先端部には、図６に示す段差６５ｃとほぼ同様の段差８５ｃが形成されるとともに、溝８５ｄが移動筒８５の外周面上の光軸ｌ方向に沿った６箇所に環状に形成されている。この溝８５ｄの数、及び位置は、ズームのステップ数、及びステップ位置に対応している。このため、鏡筒が停止した位置で、弾性部材８８の突起部８８ａがそれぞれの溝８５ｄに嵌り込むようになっている。この構成によれば、鏡筒が沈胴位置にある時のみならず、繰り出された位置にある場合でも同様にカメラ内部に進入する光線を効果的に遮断できる。
【００２７】
尚、図８では、説明をわかりやすくするために段差８５ｃや溝８５ｄを大きく示しているが、カメラの外観を損なわないよう、実際には矢印Ａの方向から進入する光線を遮断できる程度の大きさであればよい。また、第６の実施の形態では、弾性部材８８に突起８８ａを形成して段差８５ｃ及び溝８５ｄに倣って接触するようにしたが、突起８８ａの形状は図８に示すものに限定されず、図の矢印の方向から進入する光線を遮断できる形状であれば良い。
【００２８】
上述した実施例では、カメラ本体に対して移動する移動筒が１つの場合であったが、より複雑な光学系で、移動筒を二重、三重に構成する必要のあるレンズ鏡筒においても、それぞれの移動筒と移動筒の間に同様の構成をとることで光線を遮断できることは説明をするまでもない。
【００２９】
【発明の効果】
以上のように本発明によれば、筒体の外周部における第２の形状の部分において、遮蔽部材がその筒体の形状に倣って接触するため、筒体の外周面にできるパーティングラインの段差やバリの影響で、或いは遮蔽部材と筒体の嵌合部に微細なゴミが挟まった場合に遮蔽部材と筒体の外周部との間の微少な隙間が生じても、光線を確実に遮断できるカメラを提供することができる。
【図面の簡単な説明】
【図１】  本発明の第一の実施の形態による遮蔽装置を備えたカメラを示す断面図。
【図２】  本発明の第一の実施の形態による遮蔽装置を備えたカメラを示す断面図。
【図３】  本発明の第一の実施の形態による遮蔽装置を備えたカメラの主要部を拡大して示す断面図。
【図４】  本発明の第２の実施の形態による遮光装置を示す断面図。
【図５】  本発明の第３の実施の形態による遮光装置を示す断面図。
【図６】  本発明の第４の実施の形態による遮光装置を示す断面図。
【図７】  本発明の第５の実施の形態による遮光装置を示す断面図。
【図８】  本発明の第６の実施の形態による遮光装置を示す断面図。
【符号の説明】
１…カバー
４…固定筒
５，４５，５５，６５，７５，８５…移動筒
５ｃ…テーパー部
４５ｃ…先端部
５５ｃ…テーパー部
６５ｃ、８５ｃ…段差
７５ｃ…フランジ
８５ｄ…溝
８，５８，６８，７８，８８…弾性部材
８ａ，７８ａ…内周部
５８ａ，６８ａ，８８ａ…突起
【図１】
0004432182.tif 000002
【図２】
0004432182.tif 000003
【図３】
0004432182.tif 000004
【図４】
0004432182.tif 000005
【図５】
0004432182.tif 000006
【図６】
0004432182.tif 000007
【図７】
0004432182.tif 000008
【図８】
0004432182.tif 000009